(57)【要約】【課題】  すき鋏の先端縁を鋭利に切削し、すき鋏の切れ味をよくすること。【解決手段】  第２刃３の櫛歯５の一端に第１端部６を形成し、その第１端部６に隣接して第２端部７及び第３端部８をそれぞれ基部２側に後退して配置する。【選択図】        図１
2016052341.tif 000002
【特許請求の範囲】
【請求項１】
歯先縁が直線状に形成された第１刃(1)と、歯先が基部(2)から櫛状に形成された第２刃(3)とが、互いに枢着部(4)で軸支されたすき鋏において、
隙間を空けて、基部(2)から突出した各櫛歯(5)の先端部に、平面略方形に突設された第１端部(6)と、
その第１端部(6)に隣接して、その第１端部(6)の先端より基部(2)側に後退し、第１端部(6)の厚み分、先端側に傾斜して横断面が次第に薄くなるように、且つその先端縁が第１端部(6)の縁に平行で鋭利に切削された第２端部(7)と、を有することを特徴とするすき鋏。
【請求項２】
請求項１に記載のすき鋏において、
第２端部(7)に隣接し、その第２端部(7)の先端より基部(2)側に後退し、前記第１端部(6)の厚み分、前記第２端部(7)と同様に、先端側に傾斜して且つ鋭利に切削された第３端部(8)を有するすき鋏。
【請求項３】
請求項２に記載のすき鋏において、
第２端部(7)および第３端部(8)の横断面が、一端から他端まで僅かに弧状に形成されたすき鋏。
【請求項４】
請求項２または請求項３に記載のすき鋏を製造する方法において、
第２刃(3)は、基部(2)から細長い平面長方形にワイヤーカットで各櫛歯(5)を形成する第１工程と、その櫛歯(5)の先端部の幅方向一端に前記第１端部(6)を残して、その第１端部(6)に隣接して第２端部(7)を薄い円板状の砥石またはグラインダにより切削形成する第２工程と、その第２端部(7)に隣接して第３端部(8)を円板状の薄い砥石またはグラインダにより切削形成する第３工程と、を有するすき鋏の製造方法。
【発明の詳細な説明】
【技術分野】
【０００１】
本発明は、櫛状の先端に切れ味のよい刃を付けた、すき鋏およびその製造方法に関する。
【背景技術】
【０００２】
美容または理容に用いられるすき鋏は、刃先が直線状に形成された第１刃と、刃先が基部から櫛状に形成された第２刃とが互いに枢着部で軸支されたものである。櫛状に形成された第２刃の櫛部分は、従来、特許文献１に記載のように、ワイヤーカット（放電加工）により形成されていた。
また、下記特許文献２に示す如く、ワイヤーカットした後にその表面を機械加工し、その先端部をＶ字状に砥石により切削する発明も提案されていた。
【先行技術文献】
【特許文献】
【０００３】
【特許文献１】特開２００８−１７８４６７号公報
【特許文献２】特開２００８−２９６８７号公報
【発明の概要】
【発明が解決しようとする課題】
【０００４】
櫛刃をワイヤーカットのみでその櫛部分及び先端部分を形成した場合、カットの際に髪を引っ張ったり、傷めたりするおそれがある。
また、先端部を砥石でＶ字状に形成した場合には、髪の毛がそのＶ字内に楔状に押込められて、ある程度の束となってカッティングされる。そのためやはり、そのカッティングにともない髪の毛を引っ張ったり、傷めたりするおそれがある。
そこで、本発明はすき鋏の櫛状の先端縁を鋭利に形成するとともに、カッティングにともなう髪の毛を刃片に平行に配置して、切れ味のよいすき鋏を提供することを課題とする。
【課題を解決するための手段】
【０００５】
請求項１に記載の本発明は、歯先縁が直線状に形成された第１刃(1)と、歯先が基部(2)から櫛状に形成された第２刃(3)とが、互いに枢着部(4)で軸支されたすき鋏において、
隙間を空けて、基部(2)から突出した各櫛歯(5)の先端部に、平面略方形に突設された第１端部(6)と、
その第１端部(6)に隣接して、その第１端部(6)の先端より基部(2)側に後退し、第１端部(6)の厚み分、先端側に傾斜して横断面が次第に薄くなるように、且つその先端縁が第１端部(6)の縁に平行で鋭利に切削された第２端部(7)と、を有することを特徴とするすき鋏である。
【０００６】
請求項２に記載の本発明は、請求項１に記載のすき鋏において、
第２端部(7)に隣接し、その第２端部(7)の先端より基部(2)側に後退し、前記第１端部(6)の厚み分、前記第２端部(7)と同様に、先端側に傾斜して且つ鋭利に切削された第３端部(8)を有するすき鋏である。
【０００７】
請求項３に記載の本発明は、請求項２に記載のすき鋏において、
第２端部(7)および第３端部(8)の横断面が、一端から他端まで僅かに弧状に形成されたすき鋏である。
【０００８】
請求項４に記載の本発明は、請求項２または請求項３に記載のすき鋏を製造する方法において、
第２刃(3)は、基部(2)から細長い平面長方形にワイヤーカットで各櫛歯(5)を形成する第１工程と、その櫛歯(5)の先端部の幅方向一端に前記第１端部(6)を残して、その第１端部(6)に隣接して第２端部(7)を薄い円板状の砥石またはグラインダにより切削形成する第２工程と、その第２端部(7)に隣接して第３端部(8)を円板状の薄い砥石またはグラインダにより切削形成する第３工程と、を有するすき鋏の製造方法である。
【発明の効果】
【０００９】
請求項１に記載の発明のすき鋏は、第１端部６に隣接して、その第１端部６の先端より基部２側に後退し、先端側に傾斜して横断面が次第に薄くなるように、その先端縁が第１端部６の縁に平行で且つ鋭利に切削された第２端部７が設けられたものである。
従って、厚みの厚い、第１端部により櫛歯５の強度を保持し、それに平行で且つ先端まで傾斜して、切削された第２端部７により切れのよい刃が形成されて、髪すきが鋭く行われる。このとき髪はその一部のみが第１端部６の側面に沿って円滑に案内され、第２端部７に導かれる。
【００１０】
請求項２に記載の発明のすき鋏は、第２端部７に隣接し、その第２端部７の先端より基部２側に後退し、前記第１端部６の厚み分、先端側に傾斜して且つ鋭利に切削された第３端部８を有する。これにより、髪はその一部のみが第１端部６の側面に沿って円滑に案内され、第２端部７と、第３端部８とに分散して導かれ、それら各端部で順に鋭利に切断される。
【００１１】
請求項３に記載の発明のすき鋏は、第２端部７および第３端部８の各横断面が、その一端から他端まで僅かに弧状に形成されたものである。
この発明によれば、それぞれの先端縁がより鋭利な弧状で丈夫になり、さらに切れ味のよい鋏になる。
【００１２】
請求項４に記載のすき鋏の製造方法は、第２刃３を、基部２から細長い平面長方形にワイヤーカットで各櫛歯５に形成する第１工程と、その櫛歯５の先端部の幅方向一端に前記第１端部６を残して、その第１端部６に隣接して第２端部７を薄い円板状の砥石またはグラインダにより切削形成する第２工程と、その第２端部７に隣接して第３端部８を円板状の薄い砥石またはグラインダにより切削形成する第３工程と、を有するものである。
このように、第１工程で全体形状を整え、第２、第３工程で鋭利な刃を砥石またはグラインダで切削することにより、比較的短時間で、精度よく鋭利な刃縁を容易に形成できる。
【図面の簡単な説明】
【００１３】
【図１】本発明のすき鋏の第２刃３の要部斜視図。
【図２】同要部平面図であって、図６のII部拡大図。
【図３】図２のIII-III矢視断面図。
【図４】図２のIV-IV矢視断面図。
【図５】同要部平面図。
【図６】同すき鋏の全体の平面図。
【図７】同すき鋏の全体の底面図。
【発明を実施するための形態】
【００１４】
次に、図面に基づいて本発明の実施の形態につき、説明する。
このすき鋏は、図６および図７に示す如く、刃先が直線状に形成された第１刃１と、刃先が基部２から櫛状に形成された第２刃３とが、互いに枢着部４で軸支されたものである。そして、各刃の端部には指環10が配置されている。
次に、本発明の特徴である、第２刃３の各櫛歯５は、図１〜図５の如く、形成されている。
即ち、各櫛歯５は、図１に示す如く、その中間部より先端側に第１端部６と第２端部７と第３端部８とを有する。その櫛歯５は、はじめにワイヤーカットにより全体が図５の点線の如く、形成される。なお、そのときの各櫛歯５の側面形状は図３の外周部分と同一である。
【００１５】
即ち、各櫛歯５は基部２から細長い平面方形状にワイヤーカットで形成される。次いで、櫛歯５の先端部の幅方向一端に第１端部６を残して、その一端部に隣接して第２端部７を薄い円盤状の砥石又はグラインダにより切削形成される。このとき、第１端部６の側面も切削される。
その切削された先端縁は、第１端部６の先端より基部２側に後退し、第１端部６の厚み分先端側に傾斜して、横断面が次第に薄くなるように、且つその先端縁が第１端部６の縁に略平行で鋭利に切削される。
【００１６】
次いで、第２端部７に隣接し、且つその第２端部７よりも基部２側に僅かに後退し、第１端部６の厚み分先端側に傾斜して、横断面が次第に薄くなるように、且つその先端縁が第１端部６の縁に略平行で鋭利に切削された第３端部８を形成する。その側面は、図３の如く、形成されている。また、その第２端部７、第３端部８の横断面は、図４の如く、僅かに湾曲している。そして、図５に示す如く、第２端部７の幅方向一端縁と第３端部８の幅方向一端縁とが平面上で接続される。
なお、第２刃３の櫛歯５の切削前の側面形状は、基部２からその先端側に次第に薄く形成され、第１端部６の先端縁は、ほぼ直角に形成されるとともに、その底面は、極めて僅かに弓形に凹に形成されている。
【００１７】
（作用）
このようなすき鋏で、髪の毛を梳く時、その一部は各櫛歯５間に保持され、他の部分が第１端部６の側面に案内されて第２端部７の先端縁と第３端部８の先端縁に導かれる。そして、第２刃３を第１刃１に（図６）重ね合わせて、それらの間隔を狭めると、まず第２端部７上の髪から切断され、ついで第３端部８の髪の毛を切断する。この時、各髪の毛は第２端部７及び第３端部８の先端縁にほぼ平行に並び、それによって各髪の毛が鋭利に切断される。
このように、各髪の毛の切断は第２端部７の先端縁から、第３端部８の先端縁へと、順に移動する。その移動により、髪の毛を少しずつ段階的に切断することにより、切れ味がよりよいすき鋏となる。
【符号の説明】
【００１８】
１  第１刃
２  基部
３  第２刃
４  枢着部
５  櫛歯
６  第１端部
７  第２端部
８  第３端部
９  切削部
10  指環
【図１】
2016052341.tif 000003
【図２】
2016052341.tif 000004
【図３】
2016052341.tif 000005
【図４】
2016052341.tif 000006
【図５】
2016052341.tif 000007
【図６】
2016052341.tif 000008
【図７】
2016052341.tif 000009